(57)【特許請求の範囲】
【請求項１】
天板とその側部を下方から支える棒状の前脚及び後ろ脚と、前記前脚と後ろ脚との下部に装架した補強桟とを有して、前記前脚と後ろ脚と補強桟とで囲われた側部空間を物品の収納部と成しており、
前記側部空間に、物品を支持する前後長手の水平バーが配置されている構成であって、
前記水平バーの前端又は後端に雄ねじ部が形成されて、前記雄ねじ部は、前記前脚又は後ろ脚に埋設したナットにねじ込まれている一方、
前記水平バーの両端部のうち前記雄ねじ部が形成されていない端部は、前記ナットが埋設されていない脚に設けた取付け穴に、外側にはみ出ない状態で嵌入している、
天板付き家具。
【請求項２】
天板とその側部を下方から支える棒状の前脚及び後ろ脚と、前記前脚と後ろ脚との下部に装架した補強桟とを有して、前記前脚と後ろ脚と補強桟とで囲われた側部空間を物品の収納部と成しており、
前記側部空間に、物品を支持する前後長手の水平バーが配置されている構成であって、
前記水平バーは、前記側部空間の前後幅よりも長いと共に、側面視において傾斜姿勢にすると前記側部空間に嵌め入れできる長さである一方、
前記前脚と後ろ脚には、前記水平バーを斜め姿勢にしてその一端を挿入してから水平姿勢に戻し移動させることによって前記水平バーが支持される関係に設定された取付け穴が相対向するように形成されている、
天板付き家具。
【発明の詳細な説明】
【技術分野】
【０００１】
本願発明は、机（テーブル）やキャビネットのように天板が支持部で下方から支持されている天板付き家具に関するものである。
【背景技術】
【０００２】
例えば机において、天板を支える脚の形態は様々であるが、児童用の学習机において、脚の外面に前後長手のバー部材を固定して、バー部材にフックを介してランドセルや袋物などを吊り掛けできるようにすることが行われている。
【０００３】
また、特許文献１には、前後の脚の上部を上横杆で補強した学習机において、上横杆の下面に前後長手のハンギングレールを取り付けて、ハンギングレールにフックを介して各種物品を吊り懸けできるようにした構成が開示されている。
【０００４】
他方、特許文献２には、天板を前後左右の４本の脚で支持して成る教室用机において、天板の下面に配置した収納部を、左右側壁を有するトレー状に形成して、左右壁の上端に、内向きのフックと外向きのフックとを取り付けることが開示されている。
【先行技術文献】
【特許文献】
【０００５】
【特許文献１】特許第５５３１４５６号公報
【特許文献２】特開２０１２−７５４９０号公報
【発明の概要】
【発明が解決しようとする課題】
【０００６】
上記両特許文献は、前後の脚の間の空間を物品の収納部として利用できるため、デッドスペースを物品の収納部として利用できるが、ハンギングバーやフックは一段しか配置できないため、物品の収納効率向上に限度があるという問題がある。また、物品を吊り懸けするものであるため、手提げ式のバッグや袋物のように持ち手やリング、掛け紐などを有するものは吊り懸けできるが、雑誌のように持ち手などがない物品は載置することはできず、この面でも改良の余地があった。
【０００７】
本願発明はこのような現状を改善すべく成されたものであり、物品の整理機能に優れた天板付き家具を提供することを目的とするものである。
【課題を解決するための手段】
【０００８】
本願発明は、各請求項で特定されている。このうち請求項１の発明は、
「天板とその側部を下方から支える棒状の前脚及び後ろ脚と、前記前脚と後ろ脚との下部に装架した補強桟とを有して、前記前脚と後ろ脚と補強桟とで囲われた側部空間を物品の収納部と成しており、
前記側部空間に、物品を吊り下げる前後長手の水平バーが配置されている」
という基本構成において、
「前記水平バーの前端又は後端に雄ねじ部が形成されて、前記雄ねじ部は、前記前脚又は後ろ脚に埋設したナットにねじ込まれている一方、
前記水平バーの両端部のうち前記雄ねじ部が形成されていない端部は、前記ナットが埋設されていない脚に設けた取付け穴に、外側にはみ出ない状態で嵌入している」
という特徴を有している。
【０００９】
この場合、物品は側部空間に納まっている必要はないのであり、側部空間から外側又は内側に大きくはみ出していてもよい。また、トレー状等の収納部材を水平バーに取付けて、物品は収納部材に収納する場合、収納部材の一部が側部空間に位置していたらよいのであり、物品自体はその全体が側部空間の外側に配置されていてもよい。
【００１０】
請求項２の発明は、請求項１と同じ基本構成において、
「前記水平バーは、前記側部空間の前後幅よりも長いと共に、側面視において傾斜姿勢にすると前記側部空間に嵌め入れできる長さである一方、
前記前脚と後ろ脚には、前記水平バーを斜め姿勢にしてその一端を挿入してから水平姿勢に戻し移動させることによって前記水平バーが支持される関係に設定された取付け穴が相対向するように形成されている」
という構成を有している。
【００１１】
（削除）
【００１２】
（削除）
【００１３】
（削除）
【００１４】
（削除）
【００１５】
なお、水平バーは複数段配置することも可能であるし、内外複数の位置に配置することも可能である。また、水平バーは、フックを介して物品を吊り懸けすることも可能であるし、フック式トレーを吊り掛けて、トレーに物品を収納することも可能である。
【発明の効果】
【００１６】
本願発明では、支持部及び水平バーを介して物品を側部空間に配置できるが、水平バーは脚に取り付けるものであるため、水平バーを上下複数段に配置したり内外複数箇所に配置したりと、多彩な配置態様を選択できる。このため、物品を多段に配置することなどが可能になって、側部空間を物品の配置空間として有効活用できる。従って、物品の整理機能に優れている。
【００１７】
また、机のように左右に脚を有する家具の場合、水平バーを左右両方の脚の箇所に設けたり、左右いずれかの箇所に設けたりと、家具の配置等に応じて使用態様を選択できる。特に、水平バーは着脱自在であり、家具のレイアウト等に応じて使用位置を選択できるため、使い勝手がよい。
【００１８】
水平バーは、フックを使用して物品を吊り懸けたり、トレー状の収容容器を吊り懸けたりできて、汎用性に優れている。この場合、水平バーを請求項１のようにねじ込みによって取り付けると、何らかの理由で軸方向の外力がかかっても抜けることはないため、安定性に優れている利点がある。
【００１９】
また、水平バーは棒材やパイプなどの安価な市販品を利用可能であり、かつ、複数箇所に使用するに際しても同一種類のものを使用できるため製造の手間を軽減することができ、その結果、コストを抑制できる。また、水平バーは単純な形態でしかも側部空間に納まっているため、外観はシンプルでスッキリしており、デザイン的にも優れたものとすることができる。
【００２０】
複数種類の色の水平バーを用意しておいて、ユーザーの好みに応じて選択できるようにしたり、ユーザーが色違いの水平バーを付け替えできるようにすることも可能である。或いは、家具の右側と左側とで水平バーを色違いにしたり、色違いのものを高さを変えて配置したりといったことも可能である。このような色彩のバリエーションを用意しておくことにより、子供の興味を惹いて物を片づける習慣をつけさせる一助にもなり得る。
【００２１】
本願発明では、補強桟を物品の支持部材として利用できるため、構造を複雑化することなく物品の整理機能を一層向上できる。特に、冊子や薄箱状ケースのような板状物品や細長い物品を整理して収納できる。ノートパソコンやスマートフォン、タブレット端末などの薄型電子機器の収納にも便利である。
【００２２】
補強桟を物品の支持部材に兼用する場合、内側板を備えた形態を採用すると、家具の堅牢性を向上できる。また、内側板は物品が家具の内側に倒れることや入り込むことを防止する仕切りとしても機能するため、人の足が物品に当たることを防止することができる。
【００２３】
机においては、前後の脚の間の空間が内外（左右）に開口していることも多いが、この場合は、補強桟の上に内外の水平バーを配置することにより、板状等の物品を内外のいずれにも倒れない状態に配置できる。従って、例えば天板のコーナー部に棒足状の脚を配置したタイプの机であっても、補強桟を有効利用して板状の物品や棒状の物品を整理して収納できる。
【００２４】
請求項１の構成を採用すると、水平バーは抜け不能に保持されるため、物品を安定的に支持することができる。また、家具を運搬したり移動させたりする場合、水平バーが傾いても抜け落ちることばない。
【００２５】
請求項２の発明では、脚には水平バーを後ろから又は手前から貫通させる必要はないため、机を壁に寄せて配置していても、水平バーの着脱を容易に行える。
【図面の簡単な説明】
【００２６】
【図１】第１実施形態に係る机の斜視図である。
【図２】第１実施形態を示す図で、（Ａ）は要部拡大図、（Ｂ）は（Ａ）のＢ−Ｂ視断面図、（Ｃ）は（Ａ）のＣ−Ｃ視断面図である。
【図３】（Ａ）は第２実施形態に係る水平バーを軸方向から見た図、（Ｂ）は第３実施形態である使用別例図、（Ｃ）は水平バーの取付け構造の別例である第４実施形態の側断面図である。
【図４】（Ａ）は第５実施形態の要部斜視図、（Ｂ）は第６実施形態の部分平断面図、（Ｃ）は参考例の要部斜視図である。
【発明を実施するための形態】
【００２７】
(1).第１実施形態の構造
次に、本願発明の実施形態を図面に基づいて説明する。まず、図１〜２に示す第１実施形態を説明する。この実施形態は、児童生徒用として好適な机（学習用机）に適用しており、机は、左右横長長方形の天板１と、天板１をコーナー部で支持する前後一対ずつ（或いは左右一対ずつ）の４本の脚２とを備えている。天板１の下面には、左右２つの引出し３を前後動自在に配置している。他方、机上面の後部には本立てユニット４が配置されており、本立てユニット４は金具５で天板１の側面に固定されている。
【００２８】
各脚２は平面視で左右横長の長方形になっており、前後の脚２は、下寄りの部位において前後長手の補強桟６によって連結されている。補強桟６は左右横長の長方形の断面形状であり、脚２の左右横幅と補強桟６の左右横幅とは同じ寸法になっている。
【００２９】
天板１と前後脚２と補強桟６とで囲われた空間には、主として補強の役割を果たす内側板７が配置されている。内側板７は、その内側面が脚２及び補強桟６の内側面と同一面を成すように、机の内部側に寄せて配置されており、上端面は天板１に当接している。このため、机の左右両側部には、天板１と前後脚２と補強桟６と内側板７とで囲われた左右外向き開口の側部空間８が形成されている。
【００３０】
左右の内側板７の後部は、左右長手の背板９によって連結されており（補強されており）、背板９の上端も天板１に固定されている。このため、机は全体として堅牢な構造になっている。本実施形態では、前後の脚２と補強桟６と内側板７と背板９によって支持部が構成されている。なお、脚２と補強桟６と内側板７とによって脚装置が構成されている。
【００３１】
前後の脚２は相対向している。このため、前脚２の後面と後ろ脚２の前面とが縦長対向面１０になっている。そして、前後脚２に、補助部材の一例として、側部空間８を前後方向に横切って延びる前後長手の水平バー１１が装架されている。実施形態では、水平バー１１は、天板１に近い部位と補強桟６に寄った下部との箇所に２本配置しているが、本数や配置高さは任意に選択できる。
【００３２】
水平バー１１の前端には小径の雄ねじ部１１ａを形成している一方、前脚２には、雄ねじ部１１ａが螺合する鬼目ナット１２を打ち込み装着している。従って、後ろ脚２には、水平バー１１が後ろから挿通自在な取付け穴貫通穴１３を空けている。このように、雄ねじ部１１ａを有する水平バー１１を使用すると、水平バー１１の抜けを確実に防止できる利点がある。また、後ろ脚２に貫通穴１３を空けると、水平バー１１の取付けるための穴が人目に触れないため、美観に優れている。水平バー１３の後端は取付け穴１３の内部に納まっており、後ろ脚２の後ろには露出していない。
【００３３】
なお、雄ねじ部１１ａのねじ込み・ねじ戻しは、工具を使用することなく人手で行える。雄ねじ部１１ａは必ずしも小径に形成する必要はないのであり、棒材を所定寸法に切断してその一端部に雄ねじ部を形成しただけの構造でもよい。この場合は、加工の手間が軽減されるため、コストの抑制に一層貢献できる。
【００３４】
前脚２に貫通穴１３を設けて、後ろ脚２に鬼目ナット１２を打ち込むことも可能であり、この場合は、机を壁際に配置していても、机を動かすことなく水平バー１１を着脱できる。前脚２に貫通穴１３を設けた場合は、貫通穴１３を手前からキャップで塞いだらよい。
【００３５】
(2).第１実施形態のまとめ
水平バー１１は、様々な使用態様を選択できる。カバン１４や袋物のように持ち手がある物品の場合は、フック１５を使用して吊り懸けることができる。ランドセルのようにリング又は掛け紐を有する物品も同様である。
【００３６】
他方、冊子類やケース類のような板状物品１６は、補強桟６を載置台として使用して、下段の水平バー１１と内側板７との間に上から差し込むことにより、水平バー１１によって倒れ不能に保持できる。リコーダーやソロバンのような細長い物品も、補強桟６を使用して収納できる。このように補強桟６を物品が載る台として使用する場合は、補強桟６の外縁に、物品の外れ落ちを阻止する突条（リブ）１７を設けるのが好ましい（補強桟６に溝を形成しても物品の外れ落ちを防止できるが、凹凸は相対的な概念であるので、突条１７を形成することも溝を形成することも、実体は同じである。）。
【００３７】
物品の外れ落ち防止手段としては、補強桟６に加工することに代えて、図２（Ｂ）に一点鎖線で示すように、補強桟６の外面にストッパー板６′をビス止め等で固定することも可能である。図では倒れ防止用の水平バー１１は１本しか表示していないが、補強桟６に載せた板状物品１６の倒れを阻止する水平バー１１の段数を多くすると、高さが相違する他種類の板状物品１６に対応できる利点がある。複数本の水平バー１１を同じ高さで左右に配置すると、水平バー１１に物品を載置することも可能である（内側板７に重ねた状態で水平バー１１に載る物品の場合は、水平バー１１は１本であっても物品を載置できる。）。
【００３８】
敢えて述べるまでもないが、衣類用ハンガーのようにフックを有する物品の場合は、物品を水平バー１１に直接吊り掛けることができる。また、水平バー１１をスチール製の棒材で製造すると、メモを挟み固定できるマグネット付きクリップを磁着させることも可能である。
【００３９】
(3).他の実施形態
次に、図３以下の他の実施形態を説明する。図３（Ａ）に示す第２実施形態では、水平バー１１として六角棒を使用している。六角棒は多角形棒の一例があるが、このように水平バー１１を断面多角形に形成すると、水平バー１１を指先でしっかりと掴むことができるため、水平バー１１の雄ねじ部１１ａのねじ込み・ねじ戻しを一層簡単に行える利点がある。
【００４０】
図３（Ｂ）に示す第３実施形態では、物品格納トレー１８を水平バー１１に吊り掛けている。物品格納トレー１８は机の外側にはみ出ており、多くの物品を収納できる。従って、物品の整理機能に優れている。Ｌ形の台や籠を吊り掛けて、ランドセルを載せることも可能である。
【００４１】
図３（Ｃ）に示す第４実施形態では、水平バー１１は前後いずれの脚２にも貫通させておらず、水平バー１１を側部空間８から取付けできるようになっている。すなわち、前後の脚２の縦長対向面１０に、深さが深い上部取付け穴１９と深さが浅い下部取付け穴２０とが連通した２段穴２１を形成している。
【００４２】
そして、丸付き数字の１〜４の順序に示すように、水平バー１１を、いったん一方の脚２の上部取付け穴１９に一杯に差し込んでから水平姿勢にして他方の脚２の上部取付け穴穴１９に戻し移動させ、それから下方にずらして水平バー１１の両端部を前後の脚２の下部取付け穴２０に落とし込むようにしている。この実施形態では、脚２には水平バー１１を後ろから又は手前から貫通させる必要はないため、机を壁に寄せて配置していても、水平バー１１の着脱を容易に行える。
【００４３】
図４（Ａ）に示す第５実施形態は、内側板７を備えずに側部空間８が内外に開口したタイプの机に適用している。この実施形態では、複数の高さに位置に水平バー１１を内外２本ずつ配置できるようにしている。このため、板状物品１６は、補強桟６に載せて内外に倒れない状態に配置できる。補強桟６には、内外に突条１７を形成している（或いは、内側縁と外側縁とが突条となるように溝を形成している。）。
【００４４】
なお、板状物品１６の倒れを防止するためには、少なくとも下部に内外２本の水平バー１１を配置したらよいのであり、各段の高さにおいて水平バー１１を内外に配置できるようにすることは、必ずしも必要はない。例えば、下段のみに内外の水平バー１１を配置して、それより上の位置では、縦長対向面１０の左右中間部に水平バー１１を配置することも可能である。いずれにしても、水平バー１１の取付け穴２２は多く形成しておいて、ユーザーが水平バー１１の取付け位置を選択できるようにしておくのが好ましい。物品の手倒れ防止にセットで使用する内外の水平バー１１は、高さを互いに異ならせてもよい。
【００４５】
内外の水平バー１１の間に板状物品１６を配置する場合、内外の水平バー１１のうち片方又は両方を、図４（Ａ）に一点鎖線で示すようにコ字形（或いはクランク状、又は凸形）に形成することも可能である。このように形成すると、板状物品１６を大きく傾斜した姿勢にできるため、取り出しを容易に行える。また、水平バー１１が回動することにより、冊数の変化に対応できる利点もある。
【００４６】
図４（Ｂ）に示す第６実施形態は、脚２が正方形の断面形状になっているだけであり、実質的には第５実施形態と同じである。
【００４７】
図４（Ｃ）に示す参考例は、キャスタ付きのワゴン（袖キャビネット）に適用している。すなわち、ワゴンは、天板２４とこれを支える左右の側板２５、及び左右側板２５が固定された底板２６とを有しているが、後部に背板２７を設けることによって後ろ向きの側部空間８を形成しており、側部空間８に水平バー１１を多段に配置できるようにしている。
【００４８】
この参考例でも、物品は、フック類を使用して水平バー１１に懸けたり、底板２６に載せて水平バー１１で倒れ不能に保持したりすることができる。ワゴンは机の内部に格納することが多いので、側板２５に水平バー１１の貫通穴があいていても、外観面での問題は殆どないといえる。
【００４９】
（削除）
【００５０】
（削除）
【００５１】
以上、本願発明の実施形態を説明したが、本願発明は他にも様々に具体化できる。例えば適用できる家具として、カウンターなども挙げられる。図４（Ａ）の実施形態では、前後の脚２の間の空間は全体に亙って内外に開口しているが、内側板を上部のみや下部のみ、又は上下中途部に設けることも可能である。この場合は、側部空間は、内外に開口した部分と外側のみに開口した部分との複合体になる。
【産業上の利用可能性】
【００５２】
本願発明は、机等の天板付き家具に具体化できる。従って、産業上利用できる。
【符号の説明】
【００５３】
１  机の天板
２  支持部を構成する脚
６  支持部を構成する補強桟
８  側部空間
１０  縦長対向面
１１  水平バー
１１ａ  雄ねじ部
１２  鬼目ナット
１３  取付け穴
１４  物品の一例としてのカバン（バッグ）
１５  フック
１６  板状物品
１７  補強桟の突条
２４  ワゴンの天板
２５  ワゴンの支持部を構成する側板
【図１】
0006963422.tif 000002
【図２】
0006963422.tif 000003
【図３】
0006963422.tif 000004
【図４】
0006963422.tif 000005